(57)【要約】【課題】商用電源を遮断することによって消費電力を抑制する消費電力抑制モードから通常の運転動作モードに移行したときに、ユーザに違和感を与えることのない給湯装置を提供する。【解決手段】給湯装置本体１と、この給湯装置本体１から電源が供給され、給湯装置本体１を遠隔操作するリモコン装置２とからなり、給湯装置本体１に対する元電源の供給を許可または阻止するリレー接点ＳＷと、所定の条件を満足したとき、リレー接点ＳＷをオフにして商用電源ＰＷを阻止された後に、自身がオンされることによりリレー接点ＳＷをオンにして給湯装置本体１に対する商用電源ＰＷの供給を許可するための運転スイッチ２１ａとを備え、運転スイッチ２１ａの操作によって給湯装置本体１に商用電源ＰＷが供給されるとき、運転スイッチ２１ａがオン状態となることにより供給される元電源に基づいて充電を行うコンデンサＣ５と、コンデンサＣ５によって充電される電荷量を検知し、この電荷量に基づいて給湯装置本体１の運転状態のモードを判別する。【選択図】  図３
2004257577.tif 000002
【特許請求の範囲】
【請求項１】
給湯装置本体と、この給湯装置本体から電源が供給され、当該給湯装置本体を遠隔操作する遠隔操作装置とからなり、前記給湯装置本体に対する元電源の供給を許可または阻止する電源スイッチ手段と、所定の条件を満足したとき、前記電源スイッチ手段をオフにして前記元電源を阻止する電源供給制御手段と、前記電源供給制御手段によって前記給湯装置本体に対する元電源の供給が阻止された後に、自身がオンされることにより前記電源スイッチ手段をオンにして前記給湯装置本体に対する前記元電源の供給を許可するための運転スイッチ手段とを備える給湯装置であって、
前記運転スイッチ手段の操作によって前記給湯装置本体に元電源が供給されるとき、前記運転スイッチ手段がオン状態となることにより供給される元電源に基づいて充電を行う充電手段と、
前記充電手段によって充電される電荷量を検知する検知手段と、
前記検知手段によって検知される電荷量に基づいて前記給湯装置本体の運転状態のモードを判別する判別手段と、
を備えることを特徴とする、給湯装置。
【請求項２】
前記検知手段は、前記充電手段によって充電される電荷量を入出力ポートに入力することによりその電荷量を検知するマイクロコンピュータによって構成されている、請求項１に記載の給湯装置。
【請求項３】
前記充電手段によって充電される電荷を放電する放電手段を備える、請求項１または２に記載の給湯装置。
【請求項４】
給湯装置本体と、この給湯装置本体から電源が供給され、当該給湯装置本体を遠隔操作する遠隔操作装置とからなり、前記給湯装置本体に対する元電源の供給を許可または阻止する電源スイッチ手段と、所定の条件を満足したとき、前記電源スイッチ手段をオフにして前記元電源を阻止する電源供給制御手段と、前記電源供給制御手段によって前記給湯装置本体に対する前記元電源の供給が阻止された後に、自身がオンされることにより前記電源スイッチ手段をオンにして前記給湯装置本体に対する前記元電源の供給を許可するための運転スイッチ手段とを備える給湯装置であって、
前記運転スイッチ手段がオンされることによる操作信号に基づいて外部に報知出力する報知手段を備えることを特徴とする、給湯装置。
【請求項５】
前記運転スイッチ手段がオンされることによる操作信号を所定時間遅延させる遅延手段を備え、
前記報知手段は、前記遅延手段によって遅延された操作信号に基づいて外部に報知出力する、請求項４に記載の給湯装置。
【請求項６】
給湯装置本体と、この給湯装置本体から電源が供給され、当該給湯装置本体を遠隔操作する遠隔操作装置とからなり、前記給湯装置本体に対する元電源の供給を許可または阻止する電源スイッチ手段と、所定の条件を満足したとき、前記電源スイッチ手段をオフにして前記元電源を阻止する電源供給制御手段と、前記給湯装置本体による給湯運転に関連して用いられる制御機器と、前記電源供給制御手段によって前記元電源が阻止されているとき、前記遠隔操作装置からの操作によって前記電源スイッチ手段をオンにして前記元電源が供給されることにより前記制御機器における初期化動作を実行させる初期化動作実行手段とを備える給湯装置であって、
前記電源供給制御手段によって前記給湯装置本体に対する元電源の供給が阻止されるとき、その直前に、予め前記初期化動作実行手段による所定の初期化動作を実行するよう制御する制御手段を備えることを特徴とする、給湯装置。
【請求項７】
前記制御機器は、水または湯水を通水させるための配管の途中に、水または湯水の通水を制御するための制御弁からなり、
前記制御手段は、前記制御弁における初期化動作を実行させるものである、請求項６に記載の給湯装置。
【請求項８】
給湯装置本体と、この給湯装置本体から電源が供給され、当該給湯装置本体を遠隔操作する遠隔操作装置とからなり、前記給湯装置本体に対する元電源の供給を許可または阻止する電源スイッチ手段と、所定の条件を満足したとき、前記電源スイッチ手段をオフにして前記元電源を阻止する電源供給制御手段と、前記給湯装置本体による給湯運転に関連して用いられる制御機器と、前記電源供給制御手段によって前記元電源が阻止されているとき、前記遠隔操作装置からの操作によって前記電源スイッチ手段をオンにして前記元電源が供給されることにより前記制御機器における初期化動作を実行させる初期化動作実行手段とを備える給湯装置であって、
前記制御機器の異常を検出する機器異常検出手段と、
前記機器異常検出手段によって前記制御機器に異常が検出されたとき、その旨を記憶する記憶手段と、
前記電源供給制御手段によって前記元電源が阻止されているとき、前記遠隔操作装置からの操作によって前記電源スイッチ手段をオンにして前記元電源が供給された際、前記制御機器における異常が前記記憶手段によって記憶されている場合、前記初期化動作実行手段による前記制御機器における初期化動作の実行を中止する中止制御手段と、
を備えることを特徴とする、給湯装置。
【発明の詳細な説明】
【０００１】
【発明の属する技術分野】
本願発明は、給湯装置本体とリモコン装置とを備える給湯装置に関する。
【０００２】
【従来の技術】
従来、給湯装置としては、一般に給湯装置本体と、それに２芯ケーブルなどによって接続されたリモコン装置とを備えて構成されている（たとえば、特許文献１参照。）。
【０００３】
【特許文献１】
特開平２−１４０５０９号公報
【０００４】
給湯装置本体は、給湯を行うためのものであり、これには、給湯用、風呂追い焚き用および温水暖房用などの熱交換器を備える燃焼ユニットと、この燃焼ユニットを制御するマイクロコンピュータ（以下、単に「マイコン」という。）を備える制御部とが設けられている。一方、リモコン装置は、給湯装置本体の給湯運転を遠隔操作するためのものであり、操作スイッチや液晶表示器などを有する操作表示部が備えられている。そして、リモコン装置は、給湯装置本体から２芯ケーブルなどの接続線を介して電源が供給される。
【０００５】
【発明が解決しようとする課題】
ところで、給湯装置が給湯動作を全くしておらず、リモコン装置からも全く操作情報が入力されない状態（いわゆる運転待機状態）が継続する場合は、その状態であっても給湯装置本体およびリモコン装置に搭載されたマイコンや電気回路などによって、ある程度の電力が消費されているため、節電の観点からは、その消費電力を可能な限り抑制することが好ましい。たとえば運転待機状態においては、給湯装置本体に供給される商用電源をスイッチにより遮断して消費電力を抑制するモード（以下、消費電力抑制モードという。）に移行し、ユーザによりリモコン装置の運転スイッチが操作されると、給湯装置本体への商用電源の供給を再開して通常の運転動作を行うモード（以下、運転動作モードという。）に復帰させるようにするとよい。
【０００６】
しかしながら、消費電力抑制モードから通常の運転動作モードに復帰するときには、消費電力抑制モードに移行する際の運転状態が通常の運転動作モードに復帰した際の運転状態と異なる場合がある。すなわち、消費電力抑制モードに移行する際には、燃焼ユニットなどの動作モードは、運転オンモードであるが、通常の運転動作モードに復帰する際には、給湯装置本体のマイコンに電源電圧が供給されていないため、運転オフモードになってしまう。
【０００７】
ここで、運転オンモードとは、一般給湯や風呂追い焚きなどの運転が可能なモードをいい、この運転オンモードの状態でなければ（運転オフモードの状態であれば）、いくら給湯栓が開かれても、または風呂追い焚きのための操作が行われても、給湯運転や風呂運転を行うことがない。運転オンモードと運転オフモードとは、たとえばリモコン装置の運転スイッチを押し下げるごとに交互に切り替わる。
【０００８】
上記のように、通常の運転動作モードに復帰した際に、給湯装置が運転オフモードになっていると、ユーザは、運転スイッチを操作したのにもかかわらず、給湯装置が運転オフモードになっているため、少なからず違和感を覚える。
【０００９】
【発明の開示】
本願発明は、上記した事情のもとで考え出されたものであって、商用電源を遮断することによって消費電力を抑制する消費電力抑制モードから通常の運転動作モードに移行したときに、ユーザに違和感を与えることのない給湯装置を提供することを、その課題とする。
【００１０】
上記の課題を解決するため、本願発明では、次の技術的手段を講じている。
【００１１】
本願発明の第１の側面によって提供される給湯装置は、給湯装置本体と、この給湯装置本体から電源が供給され、当該給湯装置本体を遠隔操作する遠隔操作装置とからなり、前記給湯装置本体に対する元電源の供給を許可または阻止する電源スイッチ手段と、所定の条件を満足したとき、前記電源スイッチ手段をオフにして前記元電源を阻止する電源供給制御手段と、前記電源供給制御手段によって前記給湯装置本体に対する元電源の供給が阻止された後に、自身がオンされることにより前記電源スイッチ手段をオンにして前記給湯装置本体に対する前記元電源の供給を許可するための運転スイッチ手段とを備える給湯装置であって、前記運転スイッチ手段の操作によって前記給湯装置本体に元電源が供給されるとき、前記運転スイッチ手段がオン状態となることにより供給される元電源に基づいて充電を行う充電手段と、前記充電手段によって充電される電荷量を検知する検知手段と、前記検知手段によって検知される電荷量に基づいて前記給湯装置本体の運転状態のモードを判別する判別手段と、を備えることを特徴としている。
【００１２】
ここで、元電源としては、商用電源や自家発電による電源などが適用される。また、上記所定の条件とは、たとえば、遠隔操作装置の運転スイッチが運転オンモードにある場合であって、各種の給湯運転を行っておらず、操作部における入力操作も行われていない状態が所定時間継続したときをいう。また、運転オンモードとは、一般給湯や風呂追い焚きなどの運転が可能なモードをいい、一方、運転オフモードとは、いくら給湯栓が開かれても、あるいは一般給湯や風呂追い焚きなどのためのスイッチ操作が行われても、給湯運転や風呂運転が行われないモードをいう。たとえば運転オンモードと運転オフモードとは、運転スイッチの操作により交互に切り替わる。
【００１３】
上記発明によれば、所定の条件を満足したとき、電源スイッチ手段をオフにして元電源の供給を阻止し、たとえば消費電力を抑制するためのモード（以下、「消費電力抑制モード」という。）に移行する。その後、運転スイッチ手段が操作されると、電源スイッチ手段をオンにして元電源の供給を許可し、消費電力抑制モードから通常の運転動作モードに移行するとともに、運転スイッチ手段のオン状態を通じて供給される元電源に基づいて充電手段（たとえばコンデンサ）によって充電が行われる。そして、この充電された電荷量を検知し、検知された電荷量に基づいて給湯装置本体の運転状態のモードが判断される。たとえば検知された電荷量が所定量以上であれば、運転オンモードと判別され、検知された電荷量が所定量未満であれば、運転オフモードと判別される。通常、ユーザは、運転スイッチ手段を操作すれば、運転オンモードになることを予想するが、この場合、運転スイッチ手段の操作に基づいて電荷が充電されるため、常に、運転オンモードが判別されることになる。したがって、消費電力抑制モードから通常の運転動作モードに移行したとき、運転オンモードで給湯運転が再開されることになり、ユーザに違和感を与えることなく、給湯運転を開始させることができる。
【００１４】
好ましい実施の形態によれば、前記検知手段は、前記充電手段によって充電される電荷量を入出力ポートに入力することによりその電荷量を検知するマイクロコンピュータによって構成されていてもよい。このように、充電手段による充電電荷量を検出するのに、マイクロコンピュータを用いれば、マイクロコンピュータは、その入出力ポートによって充電電荷量を検出すると、給湯運転の運転状態のモードを即座に運転オンモードにすることができる。したがって、処理を迅速に行うことができるとともに、装置構成も容易となる。
【００１５】
好ましい実施の形態によれば、前記充電手段によって充電される電荷を放電する放電手段を備える。このように放電手段を備えれば、次回の運転スイッチの押し下げ時に充電手段によって確実に充電することができる。
【００１６】
本願発明の第２の側面によって提供される給湯装置は、給湯装置本体と、この給湯装置本体から電源が供給され、当該給湯装置本体を遠隔操作する遠隔操作装置とからなり、前記給湯装置本体に対する元電源の供給を許可または阻止する電源スイッチ手段と、所定の条件を満足したとき、前記電源スイッチ手段をオフにして前記元電源を阻止する電源供給制御手段と、前記電源供給制御手段によって前記給湯装置本体に対する前記元電源の供給が阻止された後に、自身がオンされることにより前記電源スイッチ手段をオンにして前記給湯装置本体に対する前記元電源の供給を許可するための運転スイッチ手段とを備える給湯装置であって、前記運転スイッチ手段がオンされることによる操作信号に基づいて外部に報知出力する報知手段を備えることを特徴としている。
【００１７】
従来では、運転スイッチ手段がオンされた後、遠隔操作装置に備えられたマイクロコンピュータが立ち上がってから、マイクロコンピュータによってたとえば表示部を通じてユーザに報知していたため、運転スイッチ手段がオンされてから表示するまでにタイムラグがあり、ユーザに不自然さを与えることがあった。これに対し、この発明によれば、運転スイッチ手段がオンされることによる操作スイッチに基づいて外部に報知出力されるので、ユーザに対して運転スイッチ手段がオンされた後、その旨を即座に表示することができる。そのため、ユーザに与える不自然さを解消することができる。
【００１８】
好ましい実施の形態によれば、前記運転スイッチ手段がオンされることによる操作信号を所定時間遅延させる遅延手段を備え、前記報知手段は、前記遅延手段によって遅延された操作信号に基づいて外部に報知出力する。
【００１９】
この発明によれば、運転スイッチ手段がオンされることによる操作信号を所定時間遅延させ、この遅延された操作信号に基づいて外部に報知出力するので、たとえば操作信号を適度な時間で遅延させれば、適度なタイミングでユーザに報知することができる。
【００２０】
本願発明の第３の側面によって提供される給湯装置は、給湯装置本体と、この給湯装置本体から電源が供給され、当該給湯装置本体を遠隔操作する遠隔操作装置とからなり、前記給湯装置本体に対する元電源の供給を許可または阻止する電源スイッチ手段と、所定の条件を満足したとき、前記電源スイッチ手段をオフにして前記元電源を阻止する電源供給制御手段と、前記給湯装置本体による給湯運転に関連して用いられる制御機器と、前記電源供給制御手段によって前記元電源が阻止されているとき、前記遠隔操作装置からの操作によって前記電源スイッチ手段をオンにして前記元電源が供給されることにより前記制御機器における初期化動作を実行させる初期化動作実行手段とを備える給湯装置であって、前記電源供給制御手段によって前記給湯装置本体に対する元電源の供給が阻止されるとき、その直前に、予め前記初期化動作実行手段による所定の初期化動作を実行するよう制御する制御手段を備えることを特徴としている。
【００２１】
好ましい実施の形態によれば、前記制御機器は、水または湯水を通水させるための配管の途中に、水または湯水の通水を制御するための制御弁からなり、前記制御手段は、前記制御弁における初期化動作を実行させるものであってもよい。
【００２２】
通常、給湯装置本体側のマイクロコンピュータは、それが立ち上がってから所定の初期化処理を行うが、その初期化処理には、たとえば制御機器（たとえば過流出防止流量調整弁）における初期化動作が含まれる。この初期化動作は、比較的長い時間を要するため、上記のように、電源供給制御手段によって給湯装置本体に対する元電源の供給が阻止されるとき、その直前に、予め初期化動作実行手段による所定の初期化動作を実行するよう制御すれば、たとえば消費電力抑制モードから通常の運転動作モードに移行した際、マイクロコンピュータが立ち上がってからの初期化処理においては、制御機器における初期化動作は、消費電力抑制モードに移行するときに既に済んでいるため、マイクロコンピュータによる初期化処理を短時間で行うことができる。したがって、短時間で運転可能な状態に復帰させることができ、ユーザにいらだち感を与えることがなくなる。
【００２３】
本願発明の第４の側面によって提供される給湯装置は、給湯装置本体と、この給湯装置本体から電源が供給され、当該給湯装置本体を遠隔操作する遠隔操作装置とからなり、前記給湯装置本体に対する元電源の供給を許可または阻止する電源スイッチ手段と、所定の条件を満足したとき、前記電源スイッチ手段をオフにして前記元電源を阻止する電源供給制御手段と、前記給湯装置本体による給湯運転に関連して用いられる制御機器と、前記電源供給制御手段によって前記元電源が阻止されているとき、前記遠隔操作装置からの操作によって前記電源スイッチ手段をオンにして前記元電源が供給されることにより前記制御機器における初期化動作を実行させる初期化動作実行手段とを備える給湯装置であって、前記制御機器の異常を検出する機器異常検出手段と、前記機器異常検出手段によって前記制御機器に異常が検出されたとき、その旨を記憶する記憶手段と、前記電源供給制御手段によって前記元電源が阻止されているとき、前記遠隔操作装置からの操作によって前記電源スイッチ手段をオンにして前記元電源が供給された際、前記制御機器における異常が前記記憶手段によって記憶されている場合、前記初期化動作実行手段による前記制御機器における初期化動作の実行を中止する中止制御手段と、を備えることを特徴としている。なお、記憶手段としては、たとえば不揮発性のメモリであることが望ましい。
【００２４】
この発明によれば、機器異常検出手段によって制御機器（たとえば過流出防止流量調整弁）の異常が検出されると、その旨が記憶手段に記憶される。そして、電源供給制御手段によって元電源が阻止されているとき（すなわち、消費電力抑制モード時）、遠隔操作装置からの操作によって電源スイッチ手段をオンにして元電源が供給された際（消費電力抑制モードから通常の運転動作モードに移行された際）、記憶手段に記憶されている制御機器の異常履歴を読み出し、制御機器の異常がある場合、初期化動作実行手段による制御機器における初期化動作の実行を中止するようにする。そのため、通常の運転動作モードに移行した後に給湯運転が行われる際、給湯装置本体は短時間で運転可能な状態になり、ユーザは、無駄な待ち時間を費やさなくても済む。
【００２５】
本願発明のその他の特徴および利点は、添付図面を参照して以下に行う詳細な説明によって、より明らかとなろう。
【００２６】
【発明の実施の形態】
以下、本願発明の好ましい実施の形態を、添付図面を参照して具体的に説明する。
【００２７】
図１は、本願発明にかかる給湯装置を示す概略構成図である。この給湯装置は、給湯装置本体１と、これに２芯ケーブル３を介して接続されたリモコン装置２とによって構成されている。なお、リモコン装置２は、複数設けられていてもよい。
【００２８】
給湯装置本体１は、たとえば住宅の屋外に設置され、給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１とを備えている。
【００２９】
制御部１１は、たとえば電子部品が搭載された１枚のプリント基板によって構成され、マイクロコンピュータ１２（以下、「本体側マイコン１２」という）、ＥＥＰＲＯＭ１３、および通信部１４などを有している。本体側マイコン１２は、給湯装置本体１の制御中枢となるものであり、図示しないＲＯＭに記憶されている運転実行プログラム、給湯装置本体１が備える各種センサ（図示略）の検出信号、あるいはリモコン装置２や図示しない暖房用機器などから送られる操作信号などに基づいて、各種燃焼器の燃焼状態や各種バルブの開閉状態を制御する。
【００３０】
ＥＥＰＲＯＭ１３は、各種のデータを必要に応じて記憶するものである。
【００３１】
通信部１４は、リモコン装置２との通信を行うためのものであり、所定の変復調方式に基づいた変復調回路によって構成されている。給湯装置本体１からリモコン装置２に対しては、２芯ケーブル３を介して電源供給（たとえばＤＣ１５Ｖ）がされており、上記通信部１４において変調されたデータ信号は、電源電圧に重畳され、この２芯ケーブル３を介してリモコン装置２に伝達される。また、リモコン装置２から上記２芯ケーブル３を介して伝達された操作信号としてのデータ信号は、上記通信部１４において復調され、本体側マイコン１２に送られる。
【００３２】
一方、リモコン装置２は、台所および風呂場などの屋内に設置され、給湯装置本体１を遠隔操作するものである。リモコン装置２は、マイクロコンピュータ１５（以下、「リモコン側マイコン１５」という）、および通信部１６などを有している。
【００３３】
たとえば台所に設置されるリモコン装置２は、図２に示すように、本体ケース２Ａの表面に運転スイッチ２１ａを含む各種の操作スイッチからなる操作部２１、表示部２２およびスピーカ２３が設けられている。
【００３４】
操作スイッチ２１は、ユーザによって給湯運転や暖房運転などを行うために操作されるものである。特に、運転スイッチ２１ａは、給湯装置本体１の給湯運転のオン／オフモードを指示する操作スイッチであり、ユーザによる押圧操作があるたびに、給湯装置の運転オンモードと運転オフモードとが交互に切り替わる。運転スイッチ２１ａが運転オンモードのときに、給湯栓（図示略）が開かれ、かつ所定流量以上の通水があると、一般給湯を行う。
【００３５】
ここで、本実施形態にかかる給湯装置本体１は、たとえば給湯動作もリモコン装置２からの操作情報も入力されない状態が所定時間以上継続すると、通常の運転動作モードから消費電力抑制モードに自動的に移行する機能を備えている。消費電力抑制モードとは、後述するように商用電源ＰＷを遮断して電力消費を抑制するモードである。
【００３６】
上記運転スイッチ２１ａは、消費電力抑制モードから通常の運転動作モードに復帰させるための操作スイッチとしても機能する。なお、給湯装置本体１は、消費電力抑制モードにおいてはリモコン装置２に電力を供給しないため、後述するように消費電力抑制モードから通常の運転動作モードに復帰されるための運転スイッチ２１ａの操作情報を給湯装置本体１に伝達させるためのバックアップ電源（コンデンサ充電電荷を利用した電源）を備えている。
【００３７】
表示部２２は、たとえば多数の蛍光体をドットマトリクス状に配置した蛍光管や液晶ディスプレイなどからなり、給湯設定温度、風呂設定温度、風呂設定湯量などの運転に必要な情報を表示する。
【００３８】
リモコン側マイコン１５は、リモコン装置２の制御中枢となるものであり、図示しないＲＯＭに記憶されている運転実行プログラム、あるいは操作部２１の操作内容に基づいて、各部の動作制御やデータ処理を実行し、表示部２２にたとえば給湯温度、風呂湯温の設定温度、およびバーナの点火状況などを必要に応じて表示したり、スピーカ２３から音声を出力したりする。
【００３９】
通信部１６は、本体側マイコン１２との通信を行うためのものであり、所定の変復調方式に基づいた変復調回路によって構成されている。
【００４０】
次に、給湯装置本体１およびリモコン装置２の電源系統における回路構成について、図３を参照して説明する。
【００４１】
同図において、給湯装置本体１の端子ａ１，ａ２は、電源ケーブルＣを介してコンセントなどに接続され、これにより、給湯装置本体１に商用電源ＰＷ（たとえばＡＣ１００Ｖ）が供給される。給湯装置本体１内において、端子ａ１，ａ２は、電源線ＣＣに接続され、電源線ＣＣは、リレー接点ＳＷを介してレギュレータＲＧに接続されている。なお、商用電源ＰＷに代えて、自家発電による電源が採用されてもよい。
【００４２】
レギュレータＲＧは、たとえばスイッチング電源やシリーズレギュレータなどによって構成されており、図示しないが、内部にトランス回路や平滑回路などを備え、給湯装置本体１の本体側マイコン１２や他の制御回路に対して所定の電圧を供給するものである。また、リレー接点ＳＷは、元電源のスイッチであり、消費電力抑制モードにおいては元電源をオフにして電力消費を抑制する機能を果たすものである。リレー接点ＳＷは、後述するリレーコイルＲＹによってオン、オフ動作される。
【００４３】
電源線ＣＣの一方の線には、リレー接点ＳＷの上流側においてヒューズＦＵが介装されている。ヒューズＦＵの下流側は、一次側グランドに接地されている。また、電源線ＣＣの他方の線には、抵抗Ｒ１を介して整流用ダイオードＤ１が接続され、さらにこの整流用ダイオードＤ１には、平滑用コンデンサＣ１が接続されている。整流用ダイオードＤ１および平滑用コンデンサＣ１は、後述するリレーコイルＲＹ、トランジスタＱ１などの能動素子のための駆動電源（直流電源）を生成する回路である。
【００４４】
整流用ダイオードＤ１のカソード端子には、上記リレー接点ＳＷをオン、オフ動作させるためのリレーコイルＲＹの正極側が接続されている。また、リレーコイルＲＹの負極側は、抵抗Ｒ２を介してサイリスタＳのアノード側に接続されている。サイリスタＳは、リレーコイルＲＹへの通電を制御するスイッチ素子であり、抵抗Ｒ２は、サイリスタＳに流れる電流を制限する抵抗である。
【００４５】
また、リレーコイルＲＹの正極側には、抵抗Ｒ３を介してＰＮＰ型のスイッチングトランジスタＱ１のエミッタ端子が接続されており、このスイッチングトランジスタＱ１のコレクタ端子には、サイリスタＳのゲート端子が接続されている。スイッチングトランジスタＱ１のコレクタ端子およびサイリスタＳのカソード端子間には、抵抗Ｒ４と、コンデンサＣ２とが並列に接続されている。また、サイリスタＳのカソード端子は、一次側グランドに接地されている。スイッチングトランジスタＱ１はサイリスタＳのオン動作を制御するものであり、スイッチングトランジスタＱ１がオンになると、サイリスタＳのゲート端子に駆動電圧が印加され、サイリスタＳはオンになる。すなわち、リレーコイルＲＹに通電され、リレー接点ＳＷがオン（商用電源ＰＷの供給状態）になる。
【００４６】
サイリスタＳのアノード端子およびカソード端子間は、フォトカプラＰＣ３のフォトトランジスタに接続されている。フォトカプラＰＣ３のフォトダイオードのアノード端子側は、本体側マイコン１２に接続され、フォトダイオードのカソード端子側は、二次側グランドに接地されている。
【００４７】
なお、フォトカプラＰＣ３は、マイコン１２からの制御信号によりサイリスタＳをオフするスイッチ素子である。すなわち、マイコン１２によりフォトカプラＰＣ３が一時的にオンになると、サイリスタＳの両端が短絡されて電流が流れなくなり、サイリスタＳはオフになる。これにより、リレーコイルＲＹの通電が遮断され、リレー接点ＳＷはオフ（商用電源ＰＷの遮断状態）になる。
【００４８】
また、フォトカプラＰＣ２は、後述する充電用コンデンサＣ４（リモコン装置２の運転スイッチ２１ａの操作により消費電力抑制モードを通常の運転動作モードに復帰可能にするために、当該リモコン装置２にバックアップ電源を供給するコンデンサ）の充電電圧が所定の電圧以下に低下したとき、その検出信号（後述する）により当該コンデンサＣ４を充電するべくサイリスタＳをオンするスイッチ素子である。
【００４９】
充電用コンデンサＣ４の電圧低下の検出信号によりフォトカプラＰＣ２がオンになると、スイッチングトランジスタＱ１がオンになり、サイリスタＳのゲート端子に駆動電圧が印加されてサイリスタＳはオンになる。これにより、リレーコイルＲＹに通電され、リレー接点ＳＷがオン（商用電源ＰＷの供給状態）になる。商用電源ＰＷが通電されると、レギュレータＲＧが起動し、当該レギュレータＲＧから給湯装置本体１内の回路とリモコン装置２内の回路に対する駆動電源（所定電圧の直流電源）が供給されるため、その電源により充電用コンデンサＣ４は充電される。この充電用コンデンサＣ４の充電に関する動作については後述する。
【００５０】
また、フォトカプラＰＣ１は、消費電力抑制モードにおいてリモコン装置２の運転スイッチ２１ａが操作されたとき、その操作信号により消費電力抑制モードを通常の運転動作モードに復帰させるためにサイリスタＳをオンするスイッチ素子である。
【００５１】
運転スイッチ２１ａの操作信号によりフォトカプラＰＣ１がオンになると、スイッチングトランジスタＱ１がオンになり、サイリスタＳのゲート端子に駆動電圧が印加されてサイリスタＳはオンになる。これにより、リレーコイルＲＹに通電され、リレー接点ＳＷがオンになる。商用電源ＰＷが通電されると、レギュレータＲＧが起動し、給湯装置本体１は消費電力抑制モードから通常の運転動作モードに復帰する。
【００５２】
スイッチングトランジスタＱ１のエミッタ端子、ベース端子間には、抵抗Ｒ５が接続され、そのベース端子には抵抗Ｒ６を介して電解コンデンサＣ３の正極側が接続されている。電解コンデンサＣ３の負極側は、一次側グランドに接地されている。
【００５３】
電解コンデンサＣ３には、並列に抵抗Ｒ７が接続され、電解コンデンサＣ３の両端には、正極側に抵抗Ｒ８を介して、フォトカプラＰＣ１のフォトトランジスタと、フォトカプラＰＣ２のフォトトランジスタとがそれぞれ接続されている。
【００５４】
ここで、電解コンデンサＣ３は、たとえば電源ケーブルＣがコンセントなどに接続され、商用電源ＰＷが供給されるときのサイリスタＳのオン、オフ動作の状態を間接的に規定するものである。すなわち、上記のようにコンセントなどに接続され、商用電源ＰＷが供給されると、サイリスタＳがオンするのに十分なだけの期間、電解コンデンサＣ３に電流が流れる。そして、スイッチングトランジスタＱ１がオンになり、サイリスタＳのゲート端子に駆動電圧が印加されて、サイリスタＳがオンした後は、スイッチングトランジスタＱ１はオフとなる。この構成により、フォトカプラＰＣ３によるサイリスタＳのオフが可能になる。
【００５５】
フォトカプラＰＣ１のフォトダイオードの両端には、抵抗Ｒ９が接続され、フォトダイオードのアノード端子側には、抵抗Ｒ１０を介してＰＮＰ型のスイッチングトランジスタＱ２のコレクタ端子が接続されている。スイッチングトランジスタＱ２は、消費電力抑制モードにおいてリモコン装置２の運転スイッチ２１ａが操作されると、その操作信号によりオンになり、充電用コンデンサＣ４から電源を供給してフォトカプラＰＣ１をオンさせるものである。スイッチングトランジスタＱ２のエミッタ端子、ベース端子間には、抵抗Ｒ１１が接続され、スイッチングトランジスタＱ２のベース端子には、抵抗Ｒ１２、逆電流防止用のダイオードＤ２、およびコイルＬ１が直列に接続されている。
【００５６】
ダイオードＤ２のカソード端子には、電圧端子（たとえばＤＣ１５Ｖ）にアノード側が接続された逆電流防止用のダイオードＤ３が接続されている。このＤＣ１５Ｖは、リモコン装置２に与えられる電圧である。コイルＬ１の下流側は、リモコン装置２に接続するための一方の端子ｂ１に接続され、他方の端子ｂ２は、二次側グランドに接地されている。
【００５７】
フォトカプラＰＣ２のフォトダイオードの両端には、抵抗Ｒ１３が接続され、フォトダイオードのアノード端子側は、抵抗Ｒ１４を介してリセットＩＣ２４の入力端子２４ａに接続されている。
【００５８】
リセットＩＣ２４は、後述する充電用コンデンサＣ４の充電量を検出するものであり、充電用コンデンサＣ４の充電量が所定電圧以下になれば、「ＬＯＷ」信号を出力端子２４ｂから出力する。リセットＩＣ２４の出力端は、フォトカプラＰＣ２のフォトダイオードのカソード端子に接続されている。
【００５９】
また、リセットＩＣ２４の入力端子２４ａには、充電用コンデンサＣ４の正極側が接続されているとともに、抵抗Ｒ１５およびダイオードＤ４を介して電圧端子（たとえば５Ｖ）が接続されている。
【００６０】
ここで、充電用コンデンサＣ４は、たとえば最大１Ｆ（ファラッド）の電荷を蓄えるための充電機能を有する素子（スーパキャパシタンスともいう）である。なお、この充電用コンデンサＣ４に代えて、汎用の充電池などが用いられてもよい。
【００６１】
充電用コンデンサＣ４の負極側は、二次側グランドに接地されている。また、充電用コンデンサＣ４の正極側には、抵抗Ｒ１５およびダイオードＤ４を介して電圧端子（たとえば５Ｖ）が接続されている。
【００６２】
次に、リモコン装置２の電源系統における回路構成について詳述する。リモコン装置２は、給湯装置本体１と繋ぐための２芯ケーブル３が接続される端子ｃ１，ｃ２を有している。端子ｃ１，ｃ２は、給湯装置本体１からの電圧を整流するためのブリッジダイオードＢＤに接続され、ブリッジダイオードＢＤは、コイルＬ２、運転スイッチ２１ａ（図２参照）、および抵抗Ｒ１７，Ｒ１８による閉回路に接続されている。また、運転スイッチ２１ａと抵抗Ｒ１７との間には、抵抗Ｒ１９および本実施形態の特徴である充電回路２７を介してリモコン側マイコン１５が接続されている。
【００６３】
充電回路２７は、ダイオードＤ５とコンデンサＣ５と抵抗Ｒ２０とからなり、運転スイッチ２１ａが押し下げられるときの電荷を蓄え、蓄えられた電荷がリモコン側マイコン１５によって検知され、それにより、運転オンモードと判別するための回路である。
【００６４】
接続構成を説明すると、抵抗Ｒ１９には、ダイオードＤ５のアノード端子が接続され、ダイオードＤ５のアノード端子は、コンデンサＣ５の一方の端子に接続されているとともに、抵抗Ｒ２０を介してリモコン側マイコン１５の入出力ポート１５ａに接続されている。また、コンデンサＣ５の他方の端子は、二次側グランドに接地されている。ここで、リモコン装置２の二次側グランドは、ブリッジダイオードＢＤのダイオードを介して給湯装置本体１の二次側グランドと接続されている。
【００６５】
上記入出力ポート１５ａは、アナログ信号を入力することのできるポートであり、リモコン側マイコン１５は、この入出力ポート１５ａから入力されるアナログ信号の量を検知することができる。また、リモコン側マイコン１５は、その入出力ポート１５ａの出力をローレベルにして、コンデンサＣ５で蓄えられていた電荷量を放電することができる。
【００６６】
また、コイルＬ２は、ＰＮＰ型のスイッチングトランジスタＱ３のエミッタ端子に接続され、スイッチングトランジスタＱ３のベース端子には、ツェナーダイオードＺＤのカソード端子が接続されている。スイッチングトランジスタＱ３のコレクタ端子とツェナーダイオードＺＤのアノード端子との間には、負荷２６が接続されており、この場合、負荷２６としては表示部２２などが挙げられる。ツェナーダイオードＺＤのアノード端子は、二次側グランドに接地されている。
【００６７】
運転スイッチ２１ａはモーメンタリのワンプッシュスイッチからなり、運転スイッチ２１ａが押し下げられると、コイルＬ２と抵抗Ｒ１７とが接続され、給湯装置本体１から供給される電源により抵抗Ｒ１７および抵抗Ｒ１８の閉回路に電流が流れて抵抗Ｒ１８に電圧が生じる。抵抗Ｒ１８に生じた電圧は抵抗Ｒ１９を介してリモコン側マイコン１５に入力され、これによりリモコン側マイコン１５は運転スイッチ２１ａが操作されたことを認識する。なお、リモコン側マイコン１５は、スイッチングトランジスタＱ３の下流側に備えられ、たとえばＤＣ５Ｖを出力するレギュレータ（図示略）から電源が供給されている。
【００６８】
次に、上記の構成における作用について説明する。
【００６９】
まず、通常の運転動作モードから消費電力抑制モードに移行する場合を説明すると、通常の運転動作モードにおいて、給湯動作が全くされておらず、操作スイッチ２１の操作もされない状態が維持されると、本体側マイコン１２は、通常の運転動作モードから消費電力抑制モードに移行することを判断し、フォトカプラＰＣ３をオンさせ、サイリスタＳに流れる電流を阻止させる。これにより、リレーコイルＲＹには、電流が流れなくなり、リレー接点ＳＷがオンからオフになり、商用電源ＰＷの供給を遮断する。
【００７０】
そのため、給湯装置本体１には、電源電圧が供給されなくなり、本体側マイコン１２などの動作が停止する。また、リモコン装置２にも電源電圧が供給されなくなり、リモコン側マイコン１５などの動作も停止する。すなわち、上記状態では、給湯装置本体１およびリモコン装置２には、電源電圧が供給されていないことになり、このように、消費電力抑制モードに移行すると、レギュレータＲＧ自体の電力消費がゼロになり、消費電力の削減を図ることができる。ただし、充電用コンデンサＣ４には、運転動作中に、ダイオードＤ４を介して所定電圧（たとえばＤＣ５Ｖ）が供給されて充電が行われている。
【００７１】
次いで、消費電力抑制モードから通常の運転動作モードに移行される場合を説明すると、運転動作を開始するために、ユーザの操作によってリモコン装置２の運転スイッチ２１ａが押し下げられた場合、コイルＬ２と抵抗Ｒ１７とが接続され、給湯装置本体１側に設けられた充電コンデンサＣ４の放電経路を形成する。すなわち、給湯装置本体１のスイッチングトランジスタＱ２，抵抗Ｒ１２，ダイオードＤ２，コイルＬ１と２芯ケーブル３とリモコン装置２側のブリッジダイオードＢＤ，コイルＬ２，Ｒ１７およびＲ１８により放電経路が形成され、この放電経路に電流が流れる。これにより、オン動作されたスイッチングトランジスタＱ２によってフォトカプラＰＣ１がオンする。
【００７２】
その結果、コンデンサＣ３に電流が流れるとともに、スイッチングトランジスタＱ１がオンし、サイリスタＳのゲート端子に電圧が印加され、リレーコイルＲＹに電流が流れることにより、リレー接点ＳＷがオンする。そのため、商用電源ＰＷが給湯装置本体１に供給されることになり、消費電力抑制モードから通常の運転動作モードに復帰する。
【００７３】
また、運転スイッチ２１ａが押し下げられると、押し下げられた時間長によってコンデンサＣ５に電荷が蓄えられる。そして、消費電力抑制モードから通常の運転動作モードに移行すると、リモコン側マイコン１５にも電源電圧が供給され、これが立ち上がる。リモコン側マイコン１５は、その入出力ポート１５ａに接続されているコンデンサＣ５の電荷を検知する。リモコン側マイコン１５は、コンデンサＣ５における電荷量が所定量以上であれば、運転オンモードと判別する。また、コンデンサＣ５における電荷量が所定量以下であれば、運転オフモードと判別する。この場合、運転スイッチ２１ａが押し下げられ、コンデンサＣ５における電荷量が所定量以上であるので、常に運転オンモードと判別する。そして、リモコン側マイコン１５は、その旨を通信部１６および通信部１４を介して本体側マイコン１２に送り、これにより、本体側マイコン１２は、通常の運転動作モードに移行すると、運転オンモードとして給湯制御を行う。
【００７４】
その後、リモコン側マイコン１５は、入出力ポート１５ａに「ＬＯＷ」信号を出力する。これにより、コンデンサＣ５の電荷が放電され、次回に運転スイッチ２１ａが押し下げられたとき、再び、コンデンサＣ５によって電荷を充電することができる。
【００７５】
このように、消費電力抑制モードにおいてユーザが運転スイッチ２１ａを押し下げて、通常の運転動作モードに移行させた場合、従来では、リモコン側マイコン１５に電源電圧が供給されていなかったために、運転スイッチ２１ａが押し下げられたにもかかわらず、運転オフモードで開始することがあり、ユーザに違和感を与えることがあった。しかし、本実施形態のような充電回路２７を設けることにより、通常の運転動作モードに移行させたときの状態を運転オンモードの状態で開始することができ、ユーザの違和感を解消することができる。
【００７６】
また、コンデンサＣ５による充電電荷量を検出するのに、マイクロコンピュータ（リモコン側マイコン１５）が用いられれば、マイクロコンピュータは、その入出力ポートによって充電電荷量を検出すると、給湯運転の運転状態のモードを即座に運転オンモードにすることができる。したがって、処理を迅速に行うことができるとともに、装置構成も容易となる。
【００７７】
上記のように、消費電力抑制モードにおいてユーザが運転スイッチ２１ａを押し下げたとき、たとえばリモコン装置２は、その表示部２２（図２参照）において、動作可能になったことをユーザに報知するために、実行可能な各種の機能や設定または給湯温度や時刻などを確認的にかつ一斉に表示する。
【００７８】
一方、消費電力抑制モードから通常の運転動作モードに移行するときには、給湯装置本体１側に設けられた充電コンデンサＣ４の放電経路が形成されていることに基づき、リレーコイルＲＹが動作しリレー接点ＳＷがオンになり、リモコン側マイコン１５に電源電圧が供給され、これにより、リモコン側マイコン１５は立ち上がる。そして、リモコン側マイコン１５は、図示しないＲＯＭに記憶されている運転実行プログラムに基づいて、イニシャル処理を行い、上記した表示部２２に動作可能になったことを示す表示を行う。そのため、ユーザが運転スイッチ２１ａを押し下げたときから、表示部２２において給湯設定温度などの報知表示がされるまでに、タイムラグが生じ、運転スイッチ２１ａを押し下げたユーザに不自然さを与えてしまう。
【００７９】
そこで、本実施形態では、かかる不具合を解消するため、リモコン装置２において、運転スイッチ２１ａを押し下げると所定のタイミングで表示部２２に給湯設定温度などの報知表示を行うために表示制御回路を設けるようにしている。
【００８０】
具体的には、図３に示す回路に代えて、図４に示す回路を適用するとよい。同図に示す回路において、図３に示す回路と異なる点について説明すると、スイッチングトランジスタＱ１のベース端子には、ダイオードＤ１１のアノード端子が接続され、そのカソード端子が抵抗Ｒ６の一端に接続されている。また、抵抗Ｒ７の一端には、電界効果トランジスタＦＥＴ１のドレイン端子が接続されている。電界効果トランジスタＦＥＴ１のソース端子は、一次側グランドに接地されている。電界効果トランジスタＦＥＴ１のゲート端子は、電解コンデンサＣ３に対して並列に接続された抵抗Ｒ３５，Ｒ３６の中点に接続されているとともに、電界効果トランジスタＦＥＴ２のドレイン端子に接続されている。電界効果トランジスタＦＥＴ１のゲート端子と一次側グランドとの間には、コンデンサＣ５が介在されている。電界効果トランジスタＦＥＴ２のソース端子は、一次側グランドに接地され、そのゲート端子は、抵抗Ｒ３７の一端に接続され、抵抗Ｒ３７の他端は、一次側グランドに接地されている。また、電界効果トランジスタＦＥＴ２のゲート端子は、抵抗Ｒ３８を介してスイッチングトランジスタＱ１のベース端子に接続されている。
【００８１】
この回路によると、電源ケーブルＣがコンセント等に接続されているときは、電界効果トランジスタＦＥＴ２はオン状態となる一方、電界効果トランジスタＦＥＴ１はオフ状態となる。逆に、電源ケーブルＣがコンセント等から抜かれているときは、電界効果トランジスタＦＥＴ２はオフ状態となり、その状態で、電解コンデンサＣ３に所定量の電荷が残っているときは、電界効果トランジスタＦＥＴ１はオン状態となり、電解コンデンサＣ３の電荷を放電する。なお、上記回路において、電界効果トランジスタＦＥＴ１のゲート端子における電位を決定するための抵抗Ｒ３５および抵抗Ｒ３６の値は、抵抗Ｒ７の値より大きくなるように設定することが可能であるため、電源コンセント接続中の消費電力をさらに削減することができる。
【００８２】
次に、リモコン装置２の電源系統における回路構成について説明する。リモコン装置２は、給湯装置本体１と繋ぐための２芯ケーブル３が接続される端子ｃ１，ｃ２を有している。端子ｃ１，ｃ２は、給湯装置本体１からの電圧を整流するためのブリッジダイオードＢＤに接続され、ブリッジダイオードＢＤは、コイルＬ２、運転スイッチ２１ａ（図２参照）、および抵抗Ｒ１７，Ｒ１８による閉回路に接続されている。
【００８３】
抵抗Ｒ１７および抵抗Ｒ１８の中点は、ダイオードＤ８を介して抵抗Ｒ２３の一端に接続され、抵抗Ｒ２３の他端にコンデンサＣ６の正極側が接続され、コンデンサＣ６の負極側はグランドに接地されている。すなわち、これら抵抗Ｒ２３およびコンデンサＣ６は、いわゆるＲＣ遅延回路を構成しており、運転スイッチ２１ａの操作信号を遅延させる機能を有する。
【００８４】
また、コンデンサＣ６の正極側は、発光ダイオードＬＥＤのアノード側に接続され、発光ダイオードＬＥＤのカソード側は、アノード側がグランドに接地されたツェナーダイオードＺＤ２のカソード側に接続されている。ここで、運転スイッチ２１ａは、たとえば透光可能な樹脂で覆われた照光式スイッチであり、上記発光ダイオードＬＥＤは、この運転スイッチ２１ａの内部に設けられている。すなわち、給湯装置本体１の運転モードが運転オンモードであるときに、運転スイッチ２１ａの発光ダイオードＬＥＤが点灯される。また、ツェナーダイオードＺＤ２は、所定の定格電圧を有しているため、発光ダイオードＬＥＤのアノード側が、さらにそれ以上の電圧になったとき、発光ダイオードＬＥＤが点灯するようになっている。
【００８５】
発光ダイオードＬＥＤのカソード側は、ＮＰＮ型のスイッチングトランジスタＱ５のベース端子に接続されている。スイッチングトランジスタＱ５のエミッタ端子は、グランドに接地されており、スイッチングトランジスタＱ５のベース−エミッタ間には、抵抗Ｒ２４が並列接続されている。
【００８６】
スイッチングトランジスタＱ５のコレクタ端子は、コイルＬ２に接続された、ＰＮＰ型のスイッチングトランジスタＱ３のベース端子に抵抗Ｒ２５を介して接続されている。スイッチングトランジスタＱ３のベース−エミッタ間には、抵抗Ｒ２６が並列接続されている。スイッチングトランジスタＱ３のコレクタ端子には、負荷２６が接続されている。負荷２６は、たとえばリモコン側マイコン１５などに所定の電源電圧（たとえばＤＣ５Ｖ）を供給するレギュレータによって構成されている。また、スイッチングトランジスタＱ３のコレクタ端子は、抵抗Ｒ２７および抵抗Ｒ２８を介して発光ダイオードＬＥＤのアノード側に接続されている。
【００８７】
発光ダイオードＬＥＤが点灯すると、スイッチングトランジスタＱ５がオンし、これにより、スイッチングトランジスタＱ３がオンする。その結果、スイッチングトランジスタＱ３のコレクタ端子側に一定電圧が供給されるので、発光ダイオードＬＥＤのアノード側における電圧が保持され、発光ダイオードＬＥＤの点灯が保持される。
【００８８】
また、抵抗Ｒ２７と抵抗Ｒ２８との中点には、バッファ２８を介してリモコン側マイコン１５のポート１５ｂが接続されている。このバッファ２８に接続されるリモコン側マイコン１５のポート１５ｂは、発光ダイオードＬＥＤを消灯させるための消灯信号を出力するためのポートである。また、リモコン側マイコン１５のポート１５ｃには、抵抗Ｒ２９を介して抵抗Ｒ１７と抵抗Ｒ１８との中点が接続されている。この抵抗Ｒ２９に接続されるリモコン側マイコン１５のポート１５ｃは、運転スイッチ２１ａのオンまたはオフ動作を検知するためのポートである。
【００８９】
すなわち、リモコン側マイコン１５は、運転スイッチ２１ａのオフ動作をポート１５ｃからの入力信号によって検知した場合、ポート１５ｂから消灯信号を出力させることにより、発光ダイオードＬＥＤを消灯させる。つまり、運転モードが運転オンモードのときに、ユーザが運転オンモードを運転オフモードに切り換えるために運転スイッチ２１ａを押し下げると、発光ダイオードも消灯される。
【００９０】
次に、上記の構成における作用について説明する。
【００９１】
消費電力抑制モードにおいて、ユーザにより運転スイッチ２１ａが押し下げられると、充電用コンデンサＣ４に蓄えられていた電荷は、スイッチングトランジスタＱ２、抵抗Ｒ１２、ダイオードＤ２、コイルＬ１、ブリッジダイオードＢＤ、コイルＬ２などを通じて運転スイッチ２１ａに電流が流れる。これにより、オン動作されたスイッチングトランジスタＱ２によってフォトカプラＰＣ１がオンする。その結果、コンデンサＣ３に電流が流れるとともに、スイッチングトランジスタＱ１がオンし、サイリスタＳのゲート端子に電圧が印加され、リレーコイルＲＹに電流が流れることにより、リレー接点ＳＷがオンする。これにより、給湯装置本体１に商用電源ＰＷが供給され、給湯装置本体１は消費電力抑制モードから通常の運転動作モードに復帰する。
【００９２】
また、運転スイッチ２１ａが押し下げられると、抵抗Ｒ２３およびコンデンサＣ６によって構成されるＲＣ遅延回路によって、運転スイッチ２１ａの操作信号が遅延されるとともに、コンデンサＣ６に電荷が蓄えられる。コンデンサＣ６に蓄えられた電荷によるコンデンサＣ６の両端電圧がツェナーダイオードＺＤ２の定格電圧を越えると、発光ダイオードＬＥＤが点灯する。
【００９３】
このように、ユーザによって、運転スイッチ２１ａが押し下げられると、所定のタイミングで発光ダイオードＬＥＤを点灯させることができるので、従来の構成において、運転スイッチ２１ａが押し下げられても発光ダイオードＬＥＤの点灯にかなり時間がかかり、ユーザに不自然さを与えるといった不具合を、上記実施形態によって解消することができる。なお、発光ダイオードＬＥＤを点灯させるタイミングは、抵抗Ｒ２３およびコンデンサＣ６の時定数を変化させることにより、容易に変更可能である。
【００９４】
ところで、上記のように、消費電力抑制モードから通常の運転動作モードに移行した場合、給湯装置本体１では、電源非供給の状態から電源供給状態となるので、その都度、本体側マイコン１２は立ち上がり、図示しないＲＯＭに記憶されている運転実行プログラムに基づくイニシャル処理が行われる。このイニシャル処理においては、燃焼ユニット１０に接続される各配管系統に設けられた制御弁など（ただし、燃焼用の燃料（ガスなど）を供給する配管系統に設けられた燃料弁は含まず）に対しても、動作確認のための動作確認信号が送られ、制御弁などにおいてイニシャル動作が行われる。
【００９５】
図５は、燃焼ユニット１０とそれに接続された配管系統を示す図である。簡単に説明すると、燃焼ユニット１０には、ガス取入れ口４１に連通されたガス配管４２が接続されており、燃焼ユニット１０には、このガス取入れ口４１からガス配管４２を通じて燃焼燃料となるガスが供給される。
【００９６】
燃焼ユニット１０には、給水口４３に連通された配水管４４が接続されており、燃焼ユニット１０には、給水口４３から配水管４４を通じて加熱すべき水が供給される。配水管４４の途中には、それから分岐したバイパス管４５が接続され、バイパス管４５には、バイパス水量調整弁４６が設けられている。
【００９７】
また、燃焼ユニット１０には、水栓Ｗに湯水を供給するための導水管４７が接続されており、導水管４７の途中であってバイパス管４５との接続部の下流側には、過流出防止流量調整弁４８が設けられている。
【００９８】
この過流出防止流量調整弁４８は、たとえば給湯装置の出湯温度が設定温度になるように出湯流量を調整するためのものであり、本体側マイコン１２は、自身が立ち上がるたびに、上記過流出防止流量調整弁４８におけるイニシャル動作（後述）を行わせる。
【００９９】
図６は、この過流出防止流量調整弁４８の構造の一例を示した図である。この図によると、過流出防止流量調整弁４８は、ケース５１内に弁体５２とこの弁体５２を収納する弁室５３とを有し、弁室５３は、上述した導水管４７に接続されている。弁体５２は、それに接続されたステッピングモータ５４によって同図における左右方向に進退可能とされ、ケース５１内に構成される湯水の通路隙間を変更することにより、流量を変化させる。上記ステッピングモータ５４内の所定位置には、過流出防止流量調整弁４８の全開状態あるいは全閉状態を検出するための図示しないリミッタ（位置検出手段）が設けられている。上記ステッピングモータ５４内の所定位置は、上記弁体５２の全開位置および全閉位置のそれぞれに対応している。リミッタは、その検出出力を本体側マイコン１２に与えるようになっている。
【０１００】
本体側マイコン１２は、電源が投入されるたびに、イニシャル処理として、過流出防止流量調整弁４８の開閉基準位置を設定する。具体的には、弁体５２を全開位置あるいは全閉位置に移動させ、それをリミッタで検出することにより、過流出防止流量調整弁４８の開閉基準位置を設定する（このような設定動作を「ポジションリセット」という。）。
【０１０１】
しかしながら、上記のような過流出防止流量調整弁４８のポジションリセットには、比較的長い所要動作時間（たとえば約８秒）がかかり、本体側マイコン１２のイニシャル処理は、その過流出防止流量調整弁４８のイニシャル動作の時間を含めて行われるため、全体のイニシャル処理にかなりの時間を要してしまうといった問題点があった。そのため、たとえば運転スイッチ２１ａを押し下げたのにもかかわらず、給湯開始がしばらくの間なされないため、ユーザにいらだち感を与えることがある。
【０１０２】
そこで、本実施形態では、かかる問題点を解消するため、通常の運転動作モードから消費電力抑制モードに移行する前に、上記過流出防止流量調整弁４８などのイニシャル処理を予め実施してしまうようにしている。
【０１０３】
具体的には、本体側マイコン１２は、通常の運転動作モードから消費電力抑制モードに移行する条件が整ったと判断した場合、たとえば給湯装置が給湯動作を全くしておらず、操作スイッチ２１の操作も全くされない状態が所定時間の間、継続した場合、過流出防止流量調整弁４８のポジションリセットを行う。より詳細には、過流出防止流量調整弁４８は、弁の開閉基準位置を設定するために、弁の状態が全開状態となる全開位置に、あるいは弁の状態が全閉状態となる全閉位置に弁体５２を移動させる。弁体５２が全開位置あるいは全閉位置に到達したことをリミッタが検出し、その検出信号が本体側マイコン１２に与えられる。これにより、本体側マイコン１２は、過流出防止流量調整弁４８がその開閉基準位置に設定されたことを認識することができる。すなわち、ポジションリセットを完了する。
【０１０４】
過流出防止流量調整弁４８のポジションリセットが行われた後、通常の運転動作モードから消費電力抑制モードに移行する。
【０１０５】
消費電力抑制モードに移行した後、ユーザによって運転スイッチ２１ａが押し下げられると、消費電力抑制モードから通常の運転動作モードに移行する。すなわち、本体側マイコン１２には、電源が供給されることにより、本体側マイコン１２は立ち上がり、イニシャル処理が行われ、過流出防止流量調整弁４８に対するイニシャル動作を行う。つまり、過流出防止流量調整弁４８のポジションリセットを行う。
【０１０６】
このとき、過流出防止流量調整弁４８の弁体５２は、消費電力抑制モードに移行する前に、既にポジションリセットが行われている結果、リミッタによって弁体５２の全開位置あるいは全閉位置を検出しており、本体側マイコン１２には、リミッタからの検出信号が入力される。したがって、本体側マイコン１２は、そのイニシャル処理を即座に終了させることができる。
【０１０７】
すなわち、消費電力抑制モードから通常の運転動作モードに移行した際に、過流出防止流量調整弁４８のポジションリセットを行うのではなく、通常の運転動作モードから消費電力抑制モードに移行する前に、予め過流出防止流量調整弁４８のポジションリセットを行うようにすれば、通常、本体側マイコン１２の立ち上げ時に行われる、過流出防止流量調整弁４８のポジションリセットを含むイニシャル処理を即座に終了させることができる。したがって、ユーザが、たとえば運転スイッチ２１ａを押し下げることにより、消費電力抑制モードから通常の運転動作モードに移行したとしても、本体側マイコン１２のイニシャル処理のための時間を短縮することができ、ユーザは、待ち時間が少なくて済み、利便性がより向上する。
【０１０８】
なお、上記処理は、過流出防止流量調整弁４８のポジションリセットを行う際に適用したが、これに代えて、バイパス管４５に設けられたバイパス水量調整弁４６のポジションリセットを行う際に適用するようにしてもよい。
【０１０９】
ところで、上記のように、過流出防止流量調整弁４８のポジションリセットは、リミッタによって弁体５２の全開位置あるいは全閉位置が検出されることにより行われるが、上記過流出防止流量調整弁４８が故障する場合がある。そのような場合には、本体側マイコン１２は、イニシャル処理を開始してから所定時間（たとえば２５秒）、リミッタの検出信号を監視するようにし、所定時間経過してもその検出信号が到達しない場合、他のイニシャル処理を行うようにされている。そのため、上記のように、過流出防止流量調整弁４８が故障している場合には、ユーザは、消費電力抑制モードから通常の運転動作モードに移行する際、たとえば運転スイッチ２１ａを押し下げたのにもかかわらず、給湯開始がしばらくの間なされないため、無駄な待ち時間を費やすことになる。
【０１１０】
そこで、本実施形態では、かかる問題点を解消するため、通常の運転動作モードから消費電力抑制モードに移行するときに、そのときの過流出防止流量調整弁４８が異常である旨を記憶させておき、消費電力抑制モードに移行後に、記憶させた過流出防止流量調整弁４８が異常である旨を読み出し、たとえば過流出防止流量調整弁４８が故障状態であった場合には、その過流出防止流量調整弁４８のイニシャル処理を実施しないようにしている。
【０１１１】
具体的には、通常の運転動作モードで給湯運転が行われているとき、たとえば過流出防止流量調整弁４８においてエラーが発生した場合、リモコン装置２の表示部２２にその旨を表示し、ユーザに報知する。そして、本体側マイコン１２は、過流出防止流量調整弁４８にエラーが発生したことを、ＥＥＰＲＯＭ１３に記憶する。
【０１１２】
その後、通常の運転動作モードから消費電力抑制モードに移行した場合、すなわち、本体側マイコン１２は、リレー接点ＳＷをオフすることにより、商用電源ＰＷの供給を遮断して、消費電力抑制モードに移行させる。
【０１１３】
さらに、たとえば、ユーザによって操作スイッチ２１ａが押し下げられることにより、消費電力抑制モードから通常の運転動作モードに移行されると、本体側マイコン１２は、電源供給されることにより立ち上がり、図示しないＲＯＭから運転プログラムを読み込むとともに、ＥＥＰＲＯＭ１３から機器の故障状態を示す情報を読み込む。
【０１１４】
この場合、前回の通常の運転動作モード時に、過流出防止流量調整弁４８においてエラーが発生した旨がＥＥＰＲＯＭ１３に記憶されているため、本体側マイコン１２は、再度、通常の運転動作モードに移行した際にＥＥＰＲＯＭ１３に記憶された内容を読み込むことにより、過流出防止流量調整弁４８においてエラーが発生していることを認識する。
【０１１５】
そして、本体側マイコン１２は、エラーが発生している過流出防止流量調整弁４８のポジションリセットをそのイニシャル処理から除いて、全体のイニシャル処理を行う。このようにすれば、たとえば従来のように、リミッタからの検出信号を監視するために所定時間、待機することがなくなり、迅速にイニシャル処理を完了することができる。
【０１１６】
なお、本体側マイコン１２は、過流出防止流量調整弁４８にエラーが発生していることを認識しているので、その時点で、リモコン装置２の表示部２２にその旨を表示することが好ましい。そして、その表示を行いつつ、所定の給湯運転を行う。
【０１１７】
このように、たとえば過流出防止流量調整弁４８においてエラーが発生した旨を記憶させておき、消費電力抑制モードに一旦移行した後に、再度、通常の運転動作モードに移行した際、過流出防止流量調整弁４８にエラーが発生していた旨を読み出して、エラーが発生している過流出防止流量調整弁４８のイニシャル処理を行わないようにすることにより、短時間でイニシャル処理を行うことができ、無駄な待ち時間をなくし、ユーザにとって利便性の高い給湯装置を提供することができる。
【０１１８】
なお、上記処理は、過流出防止流量調整弁４８が故障した場合に適用されることに限らず、たとえばバイパス水量調整弁４６が故障した際に適用するようにしてもよい。
【０１１９】
もちろん、この発明の範囲は上述した実施の形態に限定されるものではない。たとえば、給湯装置本体１に接続されるリモコン装置２の数は、上記実施形態に限定されるものではない。また、給湯装置本体１が備える燃焼ユニット１０の燃料は、ガス、石油など適宜設計変更可能である。また、上述した実施形態の燃焼ユニット１０を備えた給湯装置に代えて、その他の熱源器を備えた給湯装置（たとえば、ガスや二酸化炭素を用いるヒートポンプ給湯装置）を適用することができる。また、一般給湯機能、風呂注湯機能、風呂追い焚き機能、または温水暖房機能などのうち、少なくとも一つの機能を備えた給湯装置を適用することもできる。
【０１２０】
【発明の効果】
本願発明によれば、所定の条件を満足したとき、電源スイッチ手段をオフにして元電源の供給を阻止し、消費電力抑制モードに移行する。その後、運転スイッチ手段が操作されると、電源スイッチ手段をオンにして元電源の供給を許可し、消費電力抑制モードから通常の運転動作モードに移行するとともに、運転スイッチ手段のオン状態を通じて供給される元電源に基づいて充電手段によって充電が行われる。そして、この充電された電荷量を検知し、検知された電荷量に基づいて給湯装置本体の運転状態のモードが判断される。たとえば検知された電荷量が所定量以上であれば、運転オンモードと判別され、検知された電荷量が所定量未満であれば、運転オフモードと判別される。通常、ユーザは、運転スイッチ手段を操作すれば、運転オンモードになることを予想するが、この場合、運転スイッチ手段の操作に基づいて電荷が充電されるため、常に、運転オンモードが判別されることになる。したがって、消費電力抑制モードから通常の運転動作モードに移行したとき、運転オンモードで給湯運転が再開されることになり、ユーザに、違和感を与えることなく給湯運転を開始させることができる。
【図面の簡単な説明】
【図１】本願発明にかかる給湯装置を示す概略構成図である。
【図２】図１に示すリモコン装置の正面図である。
【図３】給湯装置本体およびリモコン装置の電源系統における回路構成を示す図である。
【図４】図３に示す給湯装置本体およびリモコン装置の電源系統における回路構成の変形例を示す図である。
【図５】燃焼ユニットとそれに接続された配管系統を示す図である。
【図６】過流出防止流量調整弁の構造の一例を示した図である。
【符号の説明】
１    給湯装置本体
２    リモコン装置
１２    本体側マイコン
１３    ＥＥＰＲＯＭ
１５    リモコン側マイコン
４８    過流出防止流量調整弁
Ｃ５    コンデンサ
ＳＷ    リレー接点
【図１】
2004257577.tif 000003
【図２】
2004257577.tif 000004
【図３】
2004257577.tif 000005
【図４】
2004257577.tif 000006
【図５】
2004257577.tif 000007
【図６】
2004257577.tif 000008